(57)【要約】【課題】コネクタと支持部材を備えた電気部品を低背化して様々な取付環境に対応できるようにする。【解決手段】本発明は、コネクタとこのコネクタを遊動可能に支持する支持部材とを備えた電気部品を相手側部材に組み付けることにより、コネクタが相手側部材の取付孔に嵌合するようにされているコネクタの取付構造であって、コネクタは、略円筒状をなす本体部と、この本体部の軸方向における一端側において本体部の外縁よりも径方向外側に突出する形態をなす接続部とを備えて構成され、支持部材は、本体部の軸方向における一端側を支持する板状の支持プレートと、この支持プレートに貫通して形成された貫通孔の内周側に張り出して形成された取付片とを備えて構成され、接続部は、コネクタを相手側部材の取付孔に嵌合する嵌合方向と交差する方向に挿入されることで取付片に取り付けられる構成としたところに特徴を有する。【選択図】図１２
2014086269.tif 000002
【特許請求の範囲】
【請求項１】
コネクタとこのコネクタを遊動可能に支持する支持部材とを備えた電気部品を相手側部材に組み付けることにより、前記コネクタが前記相手側部材の取付孔に嵌合するようにされているコネクタの取付構造であって、
前記コネクタは、略円筒状をなす本体部と、この本体部の軸方向における一端側において前記本体部の外縁よりも径方向外側に突出する形態をなす接続部とを備えて構成され、
前記支持部材は、前記本体部の軸方向における一端側を支持する板状の支持プレートと、この支持プレートに貫通して形成された貫通孔の内周側に張り出して形成された取付片とを備えて構成され、
前記接続部は、前記コネクタを前記相手側部材の取付孔に嵌合する嵌合方向と交差する方向に挿入されることで前記取付片に取り付けられることを特徴とするコネクタの取付構造。
【請求項２】
前記本体部の一端側には、相手側コネクタが内部に嵌合可能なフード部が前記嵌合方向に開口して設けられており、前記相手側コネクタは、前記貫通孔を通過して前記フード部の内部に嵌合することを特徴とする請求項１に記載のコネクタの取付構造。
【請求項３】
前記接続部は、前記取付片が内部に収容される樹脂係止部と、この樹脂係止部の内部に設けられ、前記取付片に係止可能なロック部とを備えて構成されていることを特徴とする請求項１または請求項２に記載のコネクタの取付構造。
【発明の詳細な説明】
【技術分野】
【０００１】
本発明は、コネクタを相手側部材における所定の装着箇所に取り付けるためのコネクタの取付構造に関する。
【背景技術】
【０００２】
従来、コネクタを遊動可能に支持する支持部材によって自立調芯機構を可能にしたコネクタの取付構造として、下記特許文献１に記載のものが知られている。支持部材は、金属板を打ち抜き、折り曲げ加工することによって形成されたものであって、基底部と、この基底部の周縁から対向状態をなして上方に立ち上がる一対の規制片と、同じく基底部の周縁から上方に立ち上がる取付片とを備えている。コネクタを支持部材に装着すると、一対の規制片によってコネクタが支持されるとともに、取付片によってコネクタが支持部材に保持される。コネクタは、取付片が差し込まれる接続部を有しており、この接続部と取付片ががたつきを許容した状態で互いに係止することにより、コネクタが支持部材によって遊動可能に支持される。
【先行技術文献】
【特許文献】
【０００３】
【特許文献１】特許第４９７３４６６号公報
【発明の概要】
【発明が解決しようとする課題】
【０００４】
しかしながら、上記の取付構造では、支持部材の規制片および取付片が基底部から上方に立ち上がる形態で設けられているため、支持部材の基底部からコネクタの上端までの寸法が大きくなる。そして、取付スペースを十分に確保できない場合には、コネクタを相手側部材に装着できなくなることが予想される。したがって、様々な取付環境に対応できるようにするためには、コネクタと支持部材を備えた電気部品をできるだけ低背化することが望ましい。
【０００５】
本発明は上記のような事情に基づいて完成されたものであって、コネクタと支持部材を備えた電気部品を低背化して様々な取付環境に対応できるようにすることを目的とする。
【課題を解決するための手段】
【０００６】
本発明は、コネクタとこのコネクタを遊動可能に支持する支持部材とを備えた電気部品を相手側部材に組み付けることにより、コネクタが相手側部材の取付孔に嵌合するようにされているコネクタの取付構造であって、コネクタは、略円筒状をなす本体部と、この本体部の軸方向における一端側において本体部の外縁よりも径方向外側に突出する形態をなす接続部とを備えて構成され、支持部材は、本体部の軸方向における一端側を支持する板状の支持プレートと、この支持プレートに貫通して形成された貫通孔の内周側に張り出して形成された取付片とを備えて構成され、接続部は、コネクタを相手側部材の取付孔に嵌合する嵌合方向と交差する方向に挿入されることで取付片に取り付けられる構成としたところに特徴を有する。
【０００７】
このような構成によると、接続部を取付片に対してコネクタの嵌合方向と交差する方向に挿入することで接続部が取付片に取り付けられ、これによりコネクタが支持部材に対して遊動可能に支持される。ここで、取付片は、支持プレートの貫通孔の内周側に張り出して形成されているため、取付片を支持プレートから立ち上げてこの取付片に接続部を本体部の軸方向から取り付ける場合よりも、電気部品を本体部の軸方向に低背化することができる。
【０００８】
また、接続部は、本体部の軸方向における一端側に設けられているため、接続部を取付片に取り付ける際に、本体部を貫通孔に通過させなくてもよい。すなわち、貫通孔の大きさは、少なくとも接続部を通過させることができる大きさであればよく、本体部と接続部の双方を通過させることができる大きさとしなくてもよい。したがって、貫通孔を小さくできる分だけ、支持部材を小型化することができる。
【０００９】
本発明の実施の態様として、以下の構成が好ましい。
本体部の一端側には、相手側コネクタが内部に嵌合可能なフード部が嵌合方向に開口して設けられており、相手側コネクタは、貫通孔を通過してフード部の内部に嵌合する構成としてもよい。
このような構成によると、貫通孔の大きさは、少なくとも相手側コネクタを通過させることができる大きさであればよい。
【００１０】
接続部は、取付片が内部に収容される樹脂係止部と、この樹脂係止部の内部に設けられ、取付片に係止可能なロック部とを備えて構成されている構成としてもよい。
このような構成によると、取付片を樹脂係止部の内部に挿入してロック部に係止させることにより、接続部を取付片に取り付けることができる。
【発明の効果】
【００１１】
本発明によれば、コネクタと支持部材を備えた電気部品を低背化して様々な取付環境に対応することができる。
【図面の簡単な説明】
【００１２】
【図１】電気部品の正面図
【図２】コネクタの平面図
【図３】コネクタの底面図
【図４】図２におけるＡ−Ａ線断面図
【図５】コネクタを取付孔に嵌合させる途中の状態を示した断面図
【図６】図５の状態から嵌合が進んだ状態を示した断面図
【図７】図６の状態から嵌合が進んだ状態を示した断面図
【図８】コネクタが取付孔に正規に嵌合した状態を示した断面図
【図９】コネクタを支持部材に取り付ける前の状態を示した断面図
【図１０】図９の状態からコネクタを下方に移動させて接続部を貫通孔に挿入した状態を示した断面図
【図１１】図１０の状態からコネクタを右方に移動させて接続部を取付片に取り付けた状態を示した断面図
【図１２】雌コネクタをフード部の内部に嵌合させる前の状態を示した断面図
【図１３】雌コネクタをフード部の内部に嵌合させた後の状態を示した断面図
【図１４】図１２におけるＢ−Ｂ線断面図
【発明を実施するための形態】
【００１３】
＜実施形態＞
本発明の実施形態を図１ないし図１４の図面を参照しながら説明する。本実施形態における中継コネクタ１０は、図１に示すように、上下方向に延びる略円筒状の本体部２０と、本体部２０の下端において径方向外側（図示右側）に突出する形態をなす接続部３０とを備えて構成されている。この中継コネクタ１０は、金属板をプレス加工してなるブラケット４０によって遊動可能に支持されている。なお、中継コネクタ１０とブラケット４０によって本発明の電気部品が構成されている。また、中継コネクタ１０は、図８に示すように、機器側のケースＣに設けられた取付孔Ｃ１に対して下方から嵌合可能とされている。
【００１４】
本体部２０は合成樹脂製であって、図９に示すように、上方に開口する上側フード部２１と、下方に開口する下側フード部２２とを有し、上側フード部２１の奥面と下側フード部２２の奥面との間には、端子保持部２３が設けられている。この端子保持部２３には、複数の雄端子６０が上下方向に貫通する形態で配設されている。雄端子６０は、端子保持部２３に対して圧入もしくはインサート成形によって保持されている。端子保持部２３の外周には、断面角形の角リング５０が嵌着されており、この角リング５０の下側には、断面丸形のシールリング５１が嵌着されている。図８に示すように、取付孔Ｃ１の内周面と本体部２０の外周面との間には、角リング５０とシールリング５１の双方が圧縮状態で挟持されており、角リング５０とシールリング５１の双方によってケースＣの内部が液密状にシールされている。
【００１５】
接続部３０は、図９に示すように、下側フード部２２の開口縁から径方向外側に突出しており、角筒状をなす樹脂係止部３１と、この樹脂係止部３１の内部に設けられたロック部３２とを備えて構成されている。ロック部３２は片持ち状をなし、上下方向に撓み変形可能とされている。一方、ブラケット４０は、支持プレート４１と、この支持プレート４１に形成された取付片４２とを備えており、この取付片４２が樹脂係止部３１に挿入されてロック部３２と係止するようになっている。これにより、中継コネクタ１０がブラケット４０に遊動可能な状態で取り付けられる。
【００１６】
支持プレート４１は、図１４に示すように、その板厚方向に貫通して形成された貫通孔４３を有している。この貫通孔４３は、横長の長方形状をなしており、貫通孔４３の孔縁のうち図示右側の側縁から図示左側の側縁に向けて張り出すようにして取付片４２が形成されている。取付片４２には、係止孔４４が貫通して形成されており、この係止孔４４にロック部３２が嵌まり込むことで接続部３０が取付片４２に抜け止め状態でロックされる。
【００１７】
図１４に示すように、ロック部３２と係止孔４４の孔縁との間には、所定のクリアランスＸ１，Ｙ１が設けられており、これらのクリアランスＸ１，Ｙ１の分だけ中継コネクタ１０がＸ方向およびＹ方向（嵌合方向と直交する方向）に遊動可能とされている。また、図１３に示すように、支持プレート４１の下面とこれに対向する樹脂係止部３１の内面との間には、所定のクリアランスＺ１がＺ方向（嵌合方向）に設けられており、このクリアランスＺ１の分だけ中継コネクタ１０がＺ方向に遊動可能とされている。
【００１８】
下側フード部２２の内部には、雌コネクタ７０が下方から嵌合可能とされている。雌コネクタ７０は、図示しない雌端子が収容されるキャビティ７１が形成されており、このキャビティ７１の上端壁には、雄端子６０を挿通させる端子挿通孔７４が形成されている。雌端子は、電線７２の端末部に接続されている。この電線７２は、雌コネクタ７０から下方に引き出された後、直角に曲げられて側方に引き出されている。また、雌コネクタ７０の外面には、ロックアーム７３が設けられており、このロックアーム７３が下側フード部２２の内部に貫通して形成されたロック孔２５に係止する。これにより、雌コネクタ７０が下側フード部２２の内部に嵌合した状態にロックされる。
【００１９】
下側フード部２２の開口縁には、図３に示すように、図示３個の支持壁２４が下方に突出して形成されている。これらの支持壁２４は、本体部２０の軸心を中心として略９０°間隔で配設されている。支持壁２４は、図１３に示すように、支持プレート４１の上面によって支持されている。したがって、取付孔Ｃ１に嵌合する前の中継コネクタ１０は、図示３個の支持壁２４を介してブラケット４０に支持されており、接続部３０に荷重がかからないようになっている。
【００２０】
また、図１４に示すように、中継コネクタ１０がクリアランスＸ１，Ｙ１の範囲内で遊動した場合であっても、図示３個の支持壁２４が支持プレート４１から貫通孔４３に落ち込まないようになっている。したがって、支持プレート４１によって中継コネクタ１０を確実に支持することができる。さらに、貫通孔４３の大きさは、少なくとも雌コネクタ７０を通過させることができる大きさとされている。また、貫通孔４３の大きさは、接続部３０を通過させることができる大きさとされている。換言すると、貫通孔４３は、雌コネクタ７０よりも大きく、本体部２０よりも小さい形状とされている。したがって、ブラケット４０の大きさをできるだけ小さくすることができる。
【００２１】
本実施形態は以上のような構成であって、続いてその作用を説明する。まず、中継コネクタ１０をブラケット４０に取り付ける方法について図９ないし図１３の図面を参照しながら説明する。図９に示すように、中継コネクタ１０の接続部３０を貫通孔４３の上方に配し、ここから中継コネクタ１０を下方へ移動させ、図１０に示すように、接続部３０が貫通孔４３の内部に配されて取付片４２と樹脂係止部３１が左右方向に並ぶようにする。次に、図１１に示すように、接続部３０を右方へ移動させ、樹脂係止部３１の内部に取付片４２を挿入していく。ロック部３２が取付片４２に乗り上げながら取付片４２を正規の位置まで挿入すると、図１２に示すように、ロック部３２が弾性的に復帰して係止孔４４に勢いよく嵌まり込む。この状態では、接続部３０が取付片４２に抜け止めされた状態で、中継コネクタ１０の各支持壁２４が支持プレート４１によって支持される。さらに、中継コネクタ１０は、ブラケット４０によってＸ方向、Ｙ方向、およびＺ方向に遊動可能に支持される。
【００２２】
次に、雌コネクタ７０を貫通孔４３の下方に配し、ここから雌コネクタ７０を上方へ移動させ、貫通孔４３を通過させながら下側フード部２２の内部に嵌合させる。この嵌合状態では、ロックアーム７３がロック孔２５に係止することにより、雌コネクタ７０が下側フード部２２の内部に嵌合した状態にロックされる。これにより、雌コネクタ７０の雌端子と中継コネクタ１０の雄端子６０とが導通可能に接続され、ブラケット４０に中継コネクタ１０が取り付けられてなる電気部品が構成される。
【００２３】
次に、この電気部品をケースＣに組み付ける作業について図５ないし図８の図面を参照しながら説明する。図５に示すように、本体部２０の上端における外縁部には、テーパ状のコネクタ側案内面２６が形成されており、このコネクタ側案内面２６をケースＣの取付孔Ｃ１の開口縁部に摺接させながら、中継コネクタ１０が正規の挿入位置へ案内される。また、図６に示すように、取付孔Ｃ１の開口縁のやや内側（図示上側）には、ケース側案内面Ｃ２が形成されており、コネクタ側案内面２６とケース側案内面Ｃ２とを摺接させながら、中継コネクタ１０が正規の挿入位置へ案内される。
【００２４】
その後、中継コネクタ１０の嵌合動作がある程度進んだ状態では、図７に示すように、本体部２０における角リング５０を収容する凹部の側壁２７をケース側案内面Ｃ２に摺接させながら、中継コネクタ１０が正規の挿入位置へ案内される。この間、中継コネクタ１０は、ブラケット４０に対して遊動可能に支持されているため、ブラケット４０を上方へ押し込みつつ、中継コネクタ１０をＸ方向およびＹ方向に平行移動させることができる。このようにして、中継コネクタ１０が取付孔Ｃ１に正規に嵌合した状態になると、図８に示すように、角リング５０およびシールリング５１の双方によってケースＣの内部が液密状にシールされる。
【００２５】
以上のように本実施形態では、接続部３０を取付片４２に対して中継コネクタ１０の嵌合方向と交差する方向に挿入することで接続部３０が取付片４２に取り付けられ、これにより中継コネクタ１０がブラケット４０に対して遊動可能に支持される。ここで、取付片４２は、支持プレート４１の貫通孔４３の内周側に張り出して形成されているため、取付片を支持プレートから立ち上げてこの取付片に接続部を本体部の軸方向から取り付ける場合よりも、電気部品を本体部２０の軸方向に低背化することができる。
【００２６】
また、接続部３０は、本体部２０の軸方向における一端側に設けられているため、接続部３０を取付片４２に取り付ける際に、本体部２０を貫通孔４３に通過させなくてもよい。すなわち、貫通孔４３の大きさは、少なくとも接続部３０を通過させることができる大きさであればよく、本体部２０と接続部３０の双方を通過させることができる大きさとしなくてもよい。したがって、貫通孔４３を小さくできる分だけ、ブラケット４０を小型化することができる。
【００２７】
本体部２０の一端側には、雌コネクタ７０が内部に嵌合可能な下側フード部２２が嵌合方向に開口して設けられており、雌コネクタ７０は、貫通孔４３を通過して下側フード部２２の内部に嵌合する構成としてもよい。このような構成によると、貫通孔４３の大きさは、少なくとも雌コネクタ７０を通過させることができる大きさであればよい。
【００２８】
接続部３０は、取付片４２が内部に収容される樹脂係止部３１と、この樹脂係止部３１の内部に設けられ、取付片４２に係止可能なロック部３２とを備えて構成されている構成としてもよい。このような構成によると、取付片４２を樹脂係止部３１の内部に挿入してロック部３２に係止させることにより、接続部３０を取付片４２に取り付けることができる。
【００２９】
＜他の実施形態＞
本発明は上記記述及び図面によって説明した実施形態に限定されるものではなく、例えば次のような実施形態も本発明の技術的範囲に含まれる。
（１）上記実施形態では、中継コネクタ１０を例示しているものの、本発明によると、本体部２０の上方に電線７２が引き出されたコネクタに適用してもよい。
【００３０】
（２）上記実施形態では、支持壁２４が支持プレート４１の上面に支持されている構成としているものの、本発明によると、支持壁を設けることなく、下側フード部２２の開口縁を支持プレート４１の上面に支持させてもよい。
【００３１】
（３）上記実施形態では、接続部３０を通す貫通孔４３に雌コネクタ７０を通過させているものの、本発明によると、貫通孔４３とは別に孔を設けてこの孔に雌コネクタ７０を通過させるようにしてもよい。
【００３２】
（４）上記実施形態では、弾性変形可能なロック部３２を例示しているものの、本発明によると、接続部を上下一対の半割体で構成し、いずれか一方の半割体に係止突起を設けてこの係止突起を取付片４２の係止孔４４に貫通させるようにしてもよい。
【００３３】
（５）上記実施形態では、中継コネクタ１０が平行移動しながら取付孔Ｃ１に嵌合するものを例示しているものの、本発明によると、中継コネクタ１０が傾動しながら取付孔Ｃ１に嵌合するものとしてもよい。
【符号の説明】
【００３４】
１０…中継コネクタ（コネクタ）
２０…本体部
２２…下側フード部（フード部）
３０…接続部
３１…樹脂係止部
３２…ロック部
４０…ブラケット（支持部材）
４１…支持プレート
４２…取付片
４３…貫通孔
７０…雌コネクタ（相手側コネクタ）
Ｃ…ケース（相手側部材）
Ｃ１…取付孔
【図１】
2014086269.tif 000003
【図２】
2014086269.tif 000004
【図３】
2014086269.tif 000005
【図４】
2014086269.tif 000006
【図５】
2014086269.tif 000007
【図６】
2014086269.tif 000008
【図７】
2014086269.tif 000009
【図８】
2014086269.tif 000010
【図９】
2014086269.tif 000011
【図１０】
2014086269.tif 000012
【図１１】
2014086269.tif 000013
【図１２】
2014086269.tif 000014
【図１３】
2014086269.tif 000015
【図１４】
2014086269.tif 000016